(57)【要約】      （修正有）【課題】昇降天板を支持する昇降支持部材が邪魔にならず、高い支持強度を確保できる昇降天板付き什器を提供する。【解決手段】対面カウンター１は、床面に立設された縦ビーム５と、縦ビーム５の上部に固定された固定天板６とを備えた固定カウンター２を有する。固定カウンター２に対向する昇降カウンター３は、縦ビーム５に第一取付ブラケット２２及び第二取付ブラケット２３を介して連結された伸縮可能な昇降支持部材１４と、昇降支持部材１４の上部に固定された天板ブラケット１５と、天板ブラケット１５に固定された昇降天板１６と、を備えた。昇降支持部材１４は固定天板６の後端面近傍に固定した。固定カウンター２の固定天板６の両側部に側板１２を設けて固定天板６を固定した。側板１２は固定天板６と昇降天板１６の両側部に配設した。縦ビーム５と昇降支持部材１４の間の隙間Ｋに昇降天板の後部から後側幕板２５を垂下させた。【選択図】図１２
2019076485.tif 000002
【特許請求の範囲】
【請求項１】
床面に立設された固定支持部材と、
前記固定支持部材に支持された固定天板と、
床面に立設され且つ前記固定天板の左右端部に連結された側板と、
昇降天板と、
前記固定支持部材または前記側板に連結されていて前記昇降天板を昇降可能な昇降支持部材と、
前記昇降支持部材の上部に支持された昇降天板と、を備え、
前記側板は前記昇降天板の左右端部に対向する位置まで延びていることを特徴とする昇降天板付き什器。
【請求項２】
前記固定支持部材と前記昇降支持部材との間に隙間が形成され、前記隙間内に前記昇降天板の後端部から垂下する幕板が設置されている請求項１に記載された昇降天板付き什器。
【請求項３】
前記昇降支持部材の前面側に前記昇降支持部材を覆うフロントパネルが設置されている請求項１または２に記載された昇降天板付き什器。
【請求項４】
前記昇降支持部材の非昇降部が前記固定支持部材に連結されている請求項１から３のいずれか１項に記載された昇降天板付き什器。
【発明の詳細な説明】
【技術分野】
【０００１】
本発明は、例えばオフィスや金融機関等の受付や窓口等に設置されている対面式カウンター等を含む昇降天板付き什器に関する。
【背景技術】
【０００２】
従来、対面式カウンターとして、例えば特許文献１に記載されたものが知られている。この対面式カウンターでは、支持板の上部に天板を設けた基本ユニットの左右端部に側板を連結している。特許文献２に記載された対面カウンターでは、天板を支持する脚部が昇降可能になっている。脚部は天板の安定のために前後方向中央に降下しており、下端部に床面に着座する基台が前後方向に延びている。
また、特許文献３に記載された対面式カウンターでは、係員用のテーブル板と顧客用テーブル板が対向して配設され、顧客用テーブル板を昇降可能としている。この対面式カウンターは、左右の側板間に、係員用のテーブル板と顧客用テーブル板が対向して配設されている。両サイドの側板は中空形状とされ、係員側の約片側半分の内側に係員用のテーブル板の脚部を昇降できる。顧客側の約半分の内側にも顧客用のテーブル板の脚部を昇降できるようにしている。この対面式カウンターは、顧客の混み具合等、窓口の業務形態に応じて係員用テーブル板と顧客用テーブル板とを個別に昇降できるようになっている。
【先行技術文献】
【特許文献】
【０００３】
【特許文献１】特開２００８−１１９２６９号公報
【特許文献２】特開２０１７−８６４３６号公報
【特許文献３】特開２００６−１５８７３１号公報
【発明の概要】
【発明が解決しようとする課題】
【０００４】
ところで、特許文献１に記載の対面式カウンターでは、天板を支持する脚部を必要としないが、天板の高さ調整ができない。そのため窓口の業務形態に応じて天板の高さを調整することができなかった。
一方、特許文献２に記載の対面式カウンターは天板の下側に脚部と基台があるため、使用者の邪魔になることがあった。また、特許文献３に記載の対面式カウンターでは、高さ調整できる脚部が、係員用テーブル板と顧客用テーブル板に亘って前後方向に延びている側部の中空部内で個別に昇降作動するため脚部が大きく嵩張ってしまい、使用者の邪魔になるという問題があった。
【０００５】
本発明は、このような課題に鑑みてなされたものであり、昇降天板を支持する昇降支持部材が使用者の邪魔にならず、しかも高い支持強度を確保できるようにした昇降天板付き什器を提供することを目的とする。  
【課題を解決するための手段】
【０００６】
本発明による昇降天板付き什器は、床面に立設された固定支持部材と、固定支持部材に支持された固定天板と、床面に立設され且つ固定天板の左右端部に連結された側板と、昇降天板と、固定支持部材または側板に連結されていて昇降天板を昇降可能な昇降支持部材と、昇降支持部材の上部に支持された昇降天板と、を備え、側板は昇降天板の左右端部に対向する位置まで延びていることを特徴とする。
本発明によれば、固定支持部材に昇降支持部材を対向して配設させ、昇降支持部材を伸縮させることで昇降天板を昇降させることができ、しかも昇降支持部材は固定天板側に配設して固定支持部材に連結するか、側板に連結するため、昇降天板の下方空間のスペースを広く空けることができ、使用者の邪魔にならない。また、昇降天板及び昇降支持部材を設けた什器が倒れたり揺動したりすることを側板によって規制できる。
【０００７】
また、固定支持部材と昇降支持部材との間に隙間が形成され、隙間内に昇降天板の後端部から垂下する幕板が設置されていることが好ましい。
昇降支持部材を固定支持部材側に設置することで固定支持部材との間に小さな隙間が形成されていても、この隙間に昇降天板から幕板を垂下して固定するため、固定天板に対して昇降天板を昇降させた際にも昇降天板と一体に昇降する幕板によって隙間を小さく維持することができ、紙等の薄物を含む異物が固定天板と昇降天板との隙間に挟まれることを阻止できる。
【０００８】
また、昇降支持部材の前面側に昇降支持部材を覆うフロントパネル部材が設置されていてもよい。
フロントパネル部材によって昇降支持部材を隠すことができるため、美観を維持して意匠性を向上できる。
また、昇降支持部材の非昇降部が固定支持部材に連結されていてもよい。
昇降支持部材の床面側に設置した非昇降部を固定支持部材に連結することで、昇降支持部材によって昇降天板の奥側である固定天板側を支持する片持ち支持としても支持強度が高く昇降天板の倒れを防止できる。
【発明の効果】
【０００９】
本発明によれば、固定支持部材に対向配置した昇降支持部材を昇降させることで昇降天板を昇降させることができ、しかも昇降支持部材は固定天板側に配設して固定支持部材に連結するか、側板に連結するため、昇降天板の下方空間のスペースを空けることができ、使用者の邪魔にならない。しかも昇降天板に荷重がかかっても倒れを防止できる。
【図面の簡単な説明】
【００１０】
【図１】本発明の第一実施形態による昇降天板付き対面カウンターを示す要部斜視図である。
【図２】対面カウンターの固定カウンターに昇降カウンターを組み立てる工程の側面図である。
【図３】対面カウンターにおける昇降カウンターの分解斜視図である。
【図４】固定カウンターに昇降支持部材を取り付けた状態の斜視図である。
【図５】昇降支持部材に取り付ける縦ビームの要部分解図である。
【図６】昇降支持部材の下部ブラケット及び固定筒部と縦ビームの取り付け構成を示す要部説明図である。
【図７】下部ブラケットの拡大図であり、（ａ）は後面側を固定枠部の下部横ビームに固定された図、（ｂ）は前面側を第二横ビームに固定された図である。
【図８】昇降カウンターを後面側から見た斜視図である。
【図９】図８におけるガイド部材の拡大図である。
【図１０】（ａ）はガイド部材を後側幕板に固定した構造を示す斜視図、（ｂ）はガイド部材に嵌め込んだガイドピンと縦ビームの折り曲げ片とを示す同図（ａ）のＡ−Ａ線水平断面図である。
【図１１】対面カウンターの昇降天板が降下位置にある状態の側断面図である。
【図１２】昇降天板が上昇位置にある状態の側断面図である。
【図１３】第二実施形態による対面カウンターを示す要部模式図であり、（ａ）は要部縦断面図、（ｂ）は要部水平断面図である。
【図１４】変形例による昇降カウンターの模式図である。
【発明を実施するための形態】
【００１１】
以下、本発明の実施形態による昇降天板付き対面カウンターを、添付図面を参照して説明する。
図１及び図２は本発明の第一実施形態による昇降天板付き対面カウンター１である。この対面カウンター１は、例えば金融機関や市役所等の公共施設、病院やオフィス等で顧客と係員とが対面して面談する場合に用いられる。この対面カウンター１は、係員が対面する固定カウンター２と顧客が対面する昇降カウンター３とが向い合せで対向して配設されている。
この対面カウンター１は係員が固定カウンター２に着座して対面し、顧客は着座する場合と立つ場合のいずれかの姿勢で係員に対面できる。例えば窓口が顧客で混雑している場合には、昇降カウンター３を固定カウンター２より高い位置に保持して顧客が立って対応する。窓口の顧客が少ない場合には、昇降カウンター３を固定カウンター２と同じ高さ位置に調整して顧客も着座して対応する。一般に昇降カウンター３の高さ調整は営業時間外に行われる。
【００１２】
次に対面カウンター１の具体的構成について説明する。
本明細書の対面カウンター１では、固定カウンター側、即ち図２の側面図における左側を後方、後側とし、昇降カウンター側、即ち、図２で右側を前方、前側とする。そして、これに直交する水平方向を左右方向とする。図２〜図４において、固定カウンター２は例えば断面コの字状の縦ビーム５が床面から起立して設置されている。縦ビーム５は幅方向両側に一対設けられており、その上部には高さが一定の固定テーブルとして固定天板６が連結されている。一対の縦ビーム５の上下端部には上部横ビーム７ａ及び下部横ビーム７ｂがそれぞれ連結されている。一対の縦ビーム５と上部横ビーム７ａ及び下部横ビーム７ｂとで略四角形枠状の補強枠体８が形成されている。
【００１３】
縦ビーム５は、例えば図１０に示すように、断面略コの字状の部材が例えば二重に重ねて形成されており、内側の縦ビーム５Ａと外側の縦ビーム５Ｂを有している。内側の縦ビーム５Ａは、昇降カウンター３側に位置する第一リブ５ａと、これに対向する第二リブ５ｂと、第一リブ５ａ及び第二リブ５ｂを連結するウェブ５ｃとを有している。外側の縦ビーム５Ｂも同様な構成を有している。なお、縦ビーム５はいずれか一方の縦ビーム５Ａまたは５Ｂだけで形成されていてもよい。
縦ビーム５及び上部横ビーム７ａの上部に固定天板６の前端部６ａが固定されている。固定天板６の下部には、固定枠体８の後ろ側に固定幕板９が垂下して固定され、その下部には横ブラケット１０が両端の縦ビーム５に連結されている。横ブラケット１０は、上部横ビーム７ａ及び下部横ビーム７ｂ間に配設され、昇降カウンター３を昇降させるための電気配線のコントローラが収納されている。
【００１４】
固定カウンター２の左右側部にはパネル状の側板１２がそれぞれ配設され、各側板１２の内面に形成されたレール溝１２ａに固定天板６の左右端部が嵌合されてねじ等で連結されている。縦ビーム５は側板１２に連結されていない。なお、固定天板６に代えて、または固定天板６と共に縦ビーム５が側板１２の内面に連結されていてもよい。側板１２は固定カウンター２の両側部を囲うと共に固定天板６の上方に延びており、しかも昇降カウンター３の両側部を囲うように延びている。
図３、図４、図１１、図１２等に示すように、固定カウンター２の前側に隣接して配設された昇降カウンター３には、両側の縦ビーム５に対向する位置に昇降支持部材１４がそれぞれ設置されている。各昇降支持部材１４の上端部には前方に向けて延びる天板ブラケット１５がそれぞれ連結されている。天板ブラケット１５の上部には昇降天板１６が固定されている。昇降天板１６はその後端部１６ａ近傍の下面に昇降支持部材１４が固定され、前端部が前方に向けて延びている。
【００１５】
図２において、昇降支持部材１４は昇降天板１６を昇降可能に支持しており、その降下位置（本昇降カウンター３の使用設定範囲において昇降天板１６を最も降下させた位置）で昇降天板１６は固定天板６と同じ高さ位置に保持され(図１１参照)、上昇位置（本昇降カウンター３の使用設定範囲において昇降天板１６を最も上昇させた位置）で固定天板６よりも高い位置に保持されている(図１２参照)。
図２、図５等に示す昇降支持部材１４は、床面に着座する固定部材としての下部ブラケット１８と、下部ブラケット１８の上面１８ａにボルト等で固定される中空の固定筒部１９と、固定筒部１９内に進退可能に挿入されている昇降軸部２０とで構成されている。昇降軸部２０は例えば２段の昇降部材を有しており(図１２参照)、略筒状で固定筒部１９内に進退可能な第一昇降軸部２０ａと第一昇降軸部２０ａ内に進退可能な第二昇降軸部２０ｂとで構成されている。伸縮機構を固定筒部１９と第一昇降軸部２０ａと第二昇降軸部２０ｂで構成することで、伸長時に互いに重なる部分が長く確保できて剛性が高い。即ち、図１１に示す昇降天板１６が固定天板６と同一高さに降下した第一位置と図１２に示す上昇した第二位置との間で、固定筒部１９と第一昇降軸部２０ａと第二昇降軸部２０ｂは互いに一部重複した長さに保持される。なお、昇降軸部２０は１つの昇降部材で構成してもよいし、或いは上下３段以上の複数組の昇降部材で構成して伸縮可能としてもよい。
【００１６】
下部ブラケット１８は図５〜図７に示されており、略四角形板状の上面１８ａに対して背面１８ｂと両側面１８ｃとが平板状で床面に垂下している。しかも、両側面１８ｃは上面１８ａから床面に向けて後端側に傾斜する略直角三角形板状に形成されている。下部ブラケット１８の前面は上面１８ａの幅方向中央から板状の中央支持部１８ｄが床面に垂下しており、その両側と側面１８ｃとの間は凹部をなす空間とされている。
図６において、下部ブラケット１８の背面１８ｂを固定枠体８に固定するに際し、中央支持部１８ｄの左側では例えば２本のボルトｂを縦ビーム５の上下に締め込み固定する。中央支持部１８ｄの右側では背面１８ｂをボルトｂにより下部横ビーム７ｂに締め込み固定する。そのため、縦ビーム５の幅が小さくても固定枠体８の両側の下部角部において、縦ビーム５と下部横ビーム７ｂに複数のボルトｂで下部ブラケット１８を強固に固定できる。
【００１７】
また、背面１８ｂの厚みを他より大きい厚みａに形成して縦ビーム５と固定筒部１９との隙間を所定の距離ａに設定し、縦ビーム５と昇降支持部材１４との間に後述する後側幕板２５を垂下させるための隙間Ｋが形成されている。
図７（ａ）、（ｂ）において、両側の下部ブラケット１８における中央支持部１８ｄの下端面には、第二横ビーム１７がボルトｂで固定されている。そのため、両側の下部ブラケット１８を挟んでその後側の下部横ビーム７ｂと前側の第二横ビーム１７とが対向して平行に連結されている。
【００１８】
図５及び図６において、下部ブラケット１８の上面１８ａにボルト等で固定された固定筒部１９は角筒状であり、内部に昇降軸部２０が進退可能である。しかも、固定筒部１９の内部には昇降軸部２０を昇降させるための駆動モータと配線等が収納されている。
固定筒部１９は縦ビーム５に第一取付ブラケット２２及び第二取付ブラケット２３によって固定されている。第一取付ブラケット２２は断面略コの字状に形成されていて、上下端部がボルトｂ等で縦ビーム５に固定されている。第一取付ブラケット２２はスペーサとして縦ビーム５と固定筒部１９の間に所定の距離ａを開けられるように所定の厚みで屈曲して形成されている。
【００１９】
第一取付ブラケット２２に当接する固定筒部１９を介して、断面略コの字状の第二取付ブラケット２３が縦ビーム５に取り付けられる。第二取付ブラケット２３の一方の端部に設けたフックが縦ビーム５に形成されたスリット溝(図示せず)に係合し、他方の端部はボルトｂを第一取付ブラケット２２に捩じ込んで固定される。これにより、昇降支持部材１４は縦ビーム５に対して所定距離ａを開けて垂直に起立して固定され、しかも下部ブラケット１８と固定筒部１９の第二取付ブラケット２３との上下二段で縦ビーム５に平行になるよう固定されている。
昇降支持部材１４に対して昇降天板１６が片持ち支持状態であっても、昇降天板１６で受ける荷重は両側の昇降支持部材１４及び縦ビーム５を介して側板１２で受けることができる。昇降天板１６は特に固定天板６より上昇した位置で、顧客が寄りかかる等で荷重を受けると強い倒れ込み荷重を受けるが、上述した取付構造で高強度に支持される。
【００２０】
図１１及び図１２等において、固定カウンター２の縦ビーム５と昇降カウンター３の昇降支持部材１４との間に距離ａの隙間Ｋを形成するが、昇降天板１６の後端部１６ａの下面には後側幕板２５が固定されて垂下され、昇降天板１６の後端部１６ａと後側幕板２５とは面一に形成されている。そのため、固定天板６と昇降天板１６及び後側幕板２５との間には例えば５ｍｍ以下のわずかな隙間しかなく、紙等の書類や薄物の異物が入りにくい。
特に、固定天板６の厚み方向の前端部６ａにモヘア等の繊維材の束を固定して昇降天板１６または後側幕板２５に当接させれば、紙等の薄物が隙間に進入することをより確実に阻止できる。
【００２１】
昇降支持部材１４を挟んで後側幕板２５の前側には前側幕板２６が昇降天板１６の下面に固定されて垂下している。前側幕板２６と後側幕板２５は昇降天板１６の幅方向略全長に延びており、その上下方向の長さは、図２及び図１１に示す昇降天板１６の降下位置で、第一取付ブラケット２２及び第二取付ブラケット２３に当接しない程度の長さに設定されている。前側幕板２６及び後側幕板２５の下端部は連結部材２７によって互いに連結されている。
そのため、前側幕板２６及び後側幕板２５と昇降天板１６と連結部材２７とで側面視略四角形枠状に連結されており、前側幕板２６及び後側幕板２５を高強度に保持できる。昇降天板１６が昇降した際に後側幕板２５が揺動して固定天板６に接触することを確実に阻止できる。連結部材２７は前側幕板２６及び後側幕板２５の下端部において、幅方向両端部と中間部に設けられているが、少なくとも１カ所に設けていれば前側幕板２６及び後側幕板２５の固定強度を確保できる。
【００２２】
なお、前側幕板２６及び後側幕板２５の下端部に連結部材２７は必ずしも設けなくてもよい。この場合でも、前側幕板２６及び後側幕板２５の上端部を昇降天板１６の下面にボルト等で連結しているので昇降時の揺動を抑制できる。
また、昇降支持部材１４を前側幕板２６及び後側幕板２５で挟んでいることで、固定筒部１９及び昇降軸部２０の接続部等に顧客の足や膝等が接触することから保護できる。
【００２３】
次に図８〜図１０において、固定カウンター２に隣接する昇降カウンター３の後部が開示されている。図において、昇降カウンター３の後側幕板２５における下端部の幅方向両側にはガイド部材３０がそれぞれ固定されている。ガイド部材３０は例えば略階段状に形成されており、その下片部３０ａが後側幕板２５の下面に当接してボルトｂで固定され、基板部３０ｂが後側幕板２５の後面に当接していると共にその上側リブ３０ｃが外側に折れ曲がっている。
基板部３０ｂは幅方向外側に延びていて、その一端部は縦ビーム５の第一リブ５ａをガイド面として挟んで後ろ側に折れ曲がる段付き部３０ｄを形成している。この段付き部３０ｄには縦ビーム５の第一リブ５ａに当接するガイドピン３２がガイド部として固着されている(図１０（ｂ）参照)。
【００２４】
そのため、昇降カウンター３の昇降天板１６が昇降すると、後側幕板２５も一体に昇降するため、その両端部に固定したガイド部材３０のガイドピン３２が縦ビーム５の第一リブ５ａに当接しながら摺動する。しかも、固定カウンター２の前面側の固定天板６及び縦ビーム５と昇降カウンター３の後面側の後側幕板２５との間の隙間内にガイド部材３０が配設され、ガイド部材３０はその上側リブ３０ｃが隙間を埋めて昇降天板１６と一体に昇降可能となる。
固定カウンター２と昇降カウンター３の後側幕板２５との隙間はガイド部材３０によって連携されて一定間隔に保持されている。なお、ガイド部材３０は金属製であり、ガイドピン３２は縦ビーム５の第一リブ５ａを擦過しないように例えばナイロン等の樹脂製とされている。
【００２５】
本実施形態による対面カウンター１では、固定カウンター２の縦ビーム５と昇降カウンター３の昇降支持部材１４との隙間Ｋ内に後側幕板２５が配設されている。更に、縦ビーム５と後側幕板２５との隙間にガイド部材３０の上側リブ３０ｃが配設されて埋めている。そのため、固定天板６と昇降天板１６及び後側幕板２５との隙間内に紙等の書類が挟まったり落下したりすることを阻止できる。
【００２６】
図１乃至図３、図１１等において、昇降カウンター３における昇降天板１６の下空間には昇降支持部材１４に近接する位置に板状のフロントパネル３４が設置されている。図１２に示すように、フロントパネル３４はその後面側に下部係止片３４ａと上部係止片３４ｂが設けられている。下部係止片３４ａは下部ブラケット１８の中央支持部１８ｄに形成したスリット１８ｅに係合させられ、上部係止片３４ｂは第二取付ブラケット２３に形成したスリット２３ａに係合させられている。そのため、フロントパネル３４は着脱が容易である。
【００２７】
そのため、フロントパネル３４は、例えばその下端部が床面上または床面から若干浮いて保持され、その上端部は降下位置にある昇降天板１６の天板ブラケット１５より若干下側に位置している。フロントパネル３４によって昇降天板１６の下部空間の奥側に位置する両側の昇降支持部材１４と前側幕板２６の下側の空間と前側幕板２６の大部分とが覆われているため、顧客側から昇降支持部材１４や前側幕板２６やその下側の空間等がほとんど目視できず、意匠性が向上する。
また、昇降天板１６が上昇した場合には、前側幕板２６も昇降天板１６と一体に上昇するため、前側幕板２６と昇降支持部材１４の下部がフロントパネル３４に覆われる。
【００２８】
本実施形態による対面カウンター１は上述した構成を有しており、一例として次のように組み立てることができる。
対面カウンター１の組立に際して、予め固定カウンター２の両側部に側板１２を配設し、レール溝１２ａに固定天板６を固定させる。昇降カウンター３は一対の昇降支持部材１４の上部に昇降天板１６を固定して一体化する。昇降支持部材１４の前後には後側幕板２５と前側幕板２６が設置されている。そして、図２に示すように、後付けで昇降カウンター３を両側板１２の間に挿入して固定カウンター２に連結できる。
その際、図３、図５に示すように、固定カウンター２における固定枠体８の縦ビーム５に昇降カウンター３の昇降支持部材１４を対向させ、昇降支持部材１４の下部ブラケット１８を縦ビーム５及び下部横ビーム７ｂにボルトｂで連結すると共に、縦ビーム５に固定した第一取付ブラケット２２に固定筒部１９を当接させて第二取付ブラケット２３を縦ビーム５及び第一取付ブラケット２２に係止、固定させる。
【００２９】
後側幕板２５の下端部における左右両端部にガイド部材３０をボルトｂで固定する。両側のガイド部材３０における基板部３０ｂの段付き部３０ｄで縦ビーム５の第一リブ５ａの一部を覆い、ガイドピン３２を第一リブ５ａに当接させて昇降可能に係止させる。第一リブ５ａは後側幕板２５と段付き部３０ｄのガイドピン３２との間に保持される。次に、昇降天板１６の下部空間の奥側にフロントパネル３４を取り付け、下部係止片３４ａと上部係止片３４ｂを下部ブラケット１８と第二取付ブラケット２３にそれぞれ係止させることで、前面側をフロントパネル３４で覆うことができる。
得られた対面カウンター１では、側板１２の間に設けた昇降カウンター３の昇降天板１６が昇降支持部材１４の伸縮作動によって縦ビーム５との隙間を一定に維持しながら昇降できる。しかも、側板１２によって昇降カウンター３の倒れや揺れを規制できる。
【００３０】
上述したように、本実施形態による対面カウンター１は次の作用効果を奏する。
（１）昇降位置に関わらず、昇降天板１６及び後側幕板２５と固定天板６との間の隙間を小さく維持できる。更に、後側幕板２５の両側端部に固定されたガイド部材３０のガイドピン３２が縦ビーム５の第一リブ５ａをガイドとして上下方向に摺動可能であるため、昇降天板１６の昇降位置に関わらず固定天板６との隙間を小さく一定に維持でき、この小さな隙間内に紙等の書類を挟むことを防止できる。
しかも、固定天板６の前端部６ａに繊維束を取り付けて隙間を埋めることで紙等の書類等が隙間内に入り込むことをより確実に阻止できる。
（２）昇降カウンター３は昇降天板１６の後端部を昇降支持部材１４で支持するため、昇降カウンター３側の昇降天板１６の下側の空間が広くなり、昇降カウンター３側に対面する顧客の足元が広く圧迫することを防止できる。
【００３１】
（３）しかも、昇降天板１６を後端部で片持ち式に支持する昇降支持部材１４はその下部側の２カ所で縦ビーム５に固定され、固定天板６を介して両側の側板１２で支持できる。そのため、昇降天板１６に前倒れ方向の荷重がかかっても側板１２で強固に支えることができて、昇降カウンター３の安定した支持ができる。また、昇降カウンター３は両側の側板１２で倒れや揺れを規制できる。
（４）昇降カウンター３の昇降天板１６を支持する昇降支持部材１４は、下端部に設けた下部ブラケット１８の上に固定筒部１９とその内部を進退可能な昇降軸部２０として第一昇降軸部２０ａ及び第二昇降軸部２０ｂを設けたため、第一昇降軸部２０ａ及び第二昇降軸部２０ｂのストロークが短くて固定筒部１９内に納まる重複長さを確保できて、昇降支持部材１４の剛性が高く昇降天板１６の支持強度が高い。
【００３２】
（５）昇降カウンター３の昇降支持部材１４はその前後を前側幕板２６と後側幕板２５で囲う構成であるため、対面した顧客の足が昇降支持部材１４に接触したりすることから保護できる。しかも、前側幕板２６と後側幕板２５は昇降天板１６と連結部材２７で上下端部を連結することで保持強度が高く、昇降天板１６の昇降時に後側幕板２５が固定天板６との間で揺動したりしない。
また、後側幕板２５は縦ビーム５と昇降支持部材１４の間の隙間Ｋ内に位置するため、隙間Ｋを更に小さい隙間に規制できて紙等の異物を挟んだりしにくい。
【００３３】
（６）更に、前側幕板２６を設けたため、顧客側から昇降支持部材１４や空間等が露出することを防止できて安全性と意匠性が高い。
また、昇降カウンター３の昇降天板１６の下部空間を覆うフロントパネル３４を昇降支持部材１４に係止させたため、昇降支持部材１４や下部空間の前側幕板２６等を覆って美観と意匠性を向上できる。しかもフロントパネル３４は昇降支持部材１４と縦ビーム５と固定天板６を介して側板１２に支持されるため、支持強度が高い。
【００３４】
なお、本発明は上述の第一実施形態による対面カウンター１に限定されることはなく、本発明の要旨を変更しない範囲で適宜の変更や置換等が可能であり、これらはいずれも本発明に含まれる。以下に、本発明の他の実施形態や変形例等について説明するが、上述した実施形態と同一または同様な部品や部材等には同一の符号を用いて説明を行う。
【００３５】
上述した実施形態では、対面カウンター１は後方に設けた固定カウンター２の前側に昇降カウンター３を対面して設置したが、本発明による第一の什器は固定カウンター２に限定されない。例えば第一の什器として固定カウンター２に代えて棚や壁等を設けてもよく、棚や壁等に対面して昇降天板１６を有する昇降カウンター３を第二什器として設けて昇降天板１６を昇降可能に保持してもよい。
【００３６】
また、対面カウンター１の第二実施形態として、固定カウンター２に代えて昇降カウンター３をもう１つの昇降カウンター３に対面して逆向きに設けてもよい。第二実施形態による対面カウンター１Ａを図１３（ａ）、（ｂ）に示す模式図に基づいて説明する。
本実施形態による対面カウンター１Ａは、上述した第一実施形態における固定カウンター２に代えて昇降カウンター３と同様な構成を備えた第二昇降カウンター３Ａが設置されている。図１３に示す例では、第二昇降カウンター３Ａは、昇降支持部材１４Ａとして下部ブラケット１８の上部に固定筒部１９Ａと第一及び第二昇降軸部２０ａ、２０ｂからなる昇降軸部２０Ａとを備えている。昇降軸部２０Ａの上端に天板ブラケット１５Ａが設置され、その上に昇降天板１６Ａが固定されている。
【００３７】
昇降カウンター３及び第二昇降カウンター３Ａにおける各昇降天板１６，１６Ａの対向する各後端部１６ａ、１６ａの下面には後側幕板２５、２５Ａがそれぞれ垂下されている。昇降カウンター３及び第二昇降カウンター３Ａの昇降天板１６，１６Ａの間、後側幕板２５，２５Ａの間には、紙等の書類の進入を阻止する小さい一定距離の隙間が設定されている。その側部には一対の後側幕板２５、２５Ａを囲うように水平断面視略コの字状のガイド部材３７が配設されている。ガイド部材３７は両側の側壁ガイド３７ａ、３７ｂの内面がそれぞれ後側幕板２５，２５Ａに対向し、外面に昇降支持部材１４、１４Ａの固定筒部１９、１９Ａが連結されている。
【００３８】
このような構成において、第二昇降カウンター３Ａが固定保持された状態で、一方の昇降天板１６が昇降すると後側幕板２５はガイド部材３７の側壁ガイド３７ａに沿って昇降するため、他方の後側幕板２５Ａ及び昇降天板１６Ａとの隙間は一定に保持される。また、一方の昇降カウンター３が固定保持された状態で、他方の昇降天板１６Ａが昇降すると後側幕板２５Ａはガイド部材３７の側壁ガイド３７ｂに沿って昇降するため、同様に一方の後側幕板２５及び昇降天板１６との隙間は一定に保持される。
【００３９】
なお、本実施形態では、後側幕板２５，２５Ａは側壁ガイド３７ａ、３７ｂの内面に沿って面接触して昇降するが、第一実施形態のように後側幕板２５，２５Ａまたは側壁ガイド３７ａ、３７ｂにガイドピン３２を設けてもよい。
従って、対面カウンター１Ａにおける昇降カウンター３及び第二昇降カウンター３Ａのいずれか一方が昇降した場合でも、隙間が小さい一定の距離に維持されるため、紙等の書類が隙間内に進入するおそれを低減できる。
【００４０】
次に図１４は上述した各実施形態の第一変形例を示すものであり、対面カウンター１の昇降カウンター３のみが開示されている。上述した実施形態における昇降支持部材１４では、床面に底上げ部材として下部ブラケット１８が設置され、その上面１８ａに固定筒部１９と進退可能な昇降軸部２０が配設されているが、本変形例では上下逆に構成した。即ち、天板ブラケット１５の下部に底上げ部材として上部ブラケット４０が連結され、その下部に固定筒部１９が下向きに固定され、固定筒部１９内に進退可能な昇降軸部２０が設置されている。昇降軸部２０の第二昇降軸部２０ｂの下端部が床面に着座している。
この場合、昇降支持部材１４を縦ビーム５に連結する第一取付ブラケット２２及び第二取付ブラケット２３は下部の第二昇降軸部２０ｂに設けられている。
【００４１】
そのため、昇降天板１６の降下位置では、昇降軸部２０が第一取付ブラケット２２及び第二取付ブラケット２３の取付部を除いて固定筒部１９に収納された状態に保持され、昇降天板１６は固定天板６と同一高さ位置に保持されている。そして、昇降時には昇降軸部２０の第一昇降軸部２０ａ及び第二昇降軸部２０ｂが固定筒部１９から突出して、上部ブラケット４０を介して昇降天板１６を上昇させることができる。
この第一変形例は第二実施形態の二つの昇降カウンター３、第二昇降カウンター３Ａにも適用できる。
【００４２】
なお、上述した実施形態において、昇降カウンター３の後側幕板２５に設けたガイド部材３０は、固定カウンター２の断面略コの字型の縦ビーム５に形成したガイド面としての第一リブ５ａにガイドピン３２が当接し、第一リブ５ａにガイドされながら昇降天板１６と一体に昇降するように構成した。しかしながら、縦ビーム５は必ずしも断面略コの字型に形成されていなくてもよい。
例えば、縦ビーム５は断面略Ｌ字型や断面略平板状等の適宜の形状を採用でき、その際、第一リブ５ａを有していなくてもよい。縦ビーム５にガイドされてガイドピン３２が上下動できればよい。また、例えば、縦ビーム５にガイド面として別部材を固定し、別部材をガイド面としてこれに沿ってガイドピン３２が上下に摺動するようにしてもよい。その際、別部材のガイド面はガイドピン３２と後側幕板２５との間に配設されていることが好ましい。
【００４３】
また、ガイド部材３０を固定する部材として後側幕板２５，２５Ａを設けずに昇降天板１６または昇降支持部材１４、１４Ａに直接、または他の仲介部材を介して間接的にガイド部材３０を取り付けてもよい。昇降支持部材１４の下部ブラケット１８は非昇降部に含まれる。なお、本発明において、縦ビーム５は固定支持部材に含まれる。
【符号の説明】
【００４４】
１、１Ａ  対面カウンター
２  固定カウンター
３  昇降カウンター
３Ａ  第二昇降カウンター
５  縦ビーム
５ａ  第一リブ
６  固定天板
７  横ビーム
１２  側板
１４，１４Ａ  昇降支持部材
１５，１５Ａ  天板ブラケット
１６，１６Ａ  昇降天板
１８  下部ブラケット
１９  固定筒部
２０，２０Ａ  昇降軸部
２２  第一取付ブラケット
２３  第二取付ブラケット
２５  後側幕板
２６  前側幕板
２７  連結部材
３０、３７  ガイド部材
３２  ガイドピン
３４  フロントパネル
【図１】
2019076485.tif 000003
【図２】
2019076485.tif 000004
【図３】
2019076485.tif 000005
【図４】
2019076485.tif 000006
【図５】
2019076485.tif 000007
【図６】
2019076485.tif 000008
【図７】
2019076485.tif 000009
【図８】
2019076485.tif 000010
【図９】
2019076485.tif 000011
【図１０】
2019076485.tif 000012
【図１１】
2019076485.tif 000013
【図１２】
2019076485.tif 000014
【図１３】
2019076485.tif 000015
【図１４】
2019076485.tif 000016